(57)【要約】【課題】アスベスト含有吹付け材を自然落下させることで、作業効率を向上することができるアスベスト含有吹付け材の除去方法を提供する。【解決手段】基材１の表面１ａに吹き付けられたアスベスト含有吹付け材２の除去方法であって、アスベスト含有吹付け材の基材との接着面Ｔ付近に酸性液を注入する工程と、酸性液が注入されたアスベスト含有吹付け材に対して中性または酸性の液体Ｌを散布する工程と、を備えている。【選択図】図５
2012117262.tif 000002
【特許請求の範囲】
【請求項１】
基材の表面に吹き付けられたアスベスト含有吹付け材の除去方法であって、
前記アスベスト含有吹付け材の前記基材との接着面付近に酸性液を注入する工程と、
該酸性液が注入された前記アスベスト含有吹付け材に対して中性または酸性の液体を散布する工程と、を備えていることを特徴とするアスベスト含有吹付け材の除去方法。
【請求項２】
前記酸性液は、手持ち可能な注入具を用いて前記アスベスト含有吹付け材に注入することを特徴とする請求項１に記載のアスベスト含有吹付け材の除去方法。
【発明の詳細な説明】
【技術分野】
【０００１】
本発明は、アスベスト含有吹付け材の除去方法に関するものである。
【背景技術】
【０００２】
従来、吹付けアスベスト材やアスベスト含有吹付けロックウールなどのアスベスト含有吹付け材の除去方法として、ケレン棒などの工具による粗落し後、例えばブラシなどを用いてセメント成分を主体とした残留付着物を剥ぎ落して磨き上げる作業が行われている。また、人力の場合に比べて作業効率を高めた除去方法として、除去装置などを使用するものが例えば特許文献１，２に開示されている。
【０００３】
特許文献１は、マニピュレータの先端に設けたバケット内に適宜駆動するブラシやスクレーパが備えられており、バケットの開口をアスベスト表面に押し付けた状態で、その内部でブラシやスクレーパを作動し、剥離したアスベストをそのままバケット内に落下させて、バケットから処理容器などに移すことで処理する装置について記載したものである。
【０００４】
特許文献２には、アスベスト含有物を剥離するカットブラシ（剥離手段）と、剥離手段を包囲する内側フードと、さらに内側フードを取り囲む外側フードと、剥離したアスベスト含有物を内側フード内から処理タンクへ吸引する吸引手段とを備えたアスベスト除去装置について開示されている。
【０００５】
しかしながら、従来のアスベスト除去方法では以下のような問題があった。すなわち、特許文献１，２に示すようなアスベスト除去装置を用いたアスベスト除去方法では、装置が設置できないような作業空間が狭小な場所であったり、また例えばＨ型鋼材などのように複雑な形状の基材に対してアスベスト含有吹付け材を被覆したものに対しては、アスベスト除去装置を使用することが困難となっていた。そのため、このような除去装置の適用が困難な条件にあっては、人力による除去方法に頼らざるを得ない現状があり、手間と作業時間がかかるという問題があった。
【０００６】
そこで、上述のような問題を解決するために、本願発明者は、アスベスト含有吹付け材に対して薬液（酸性液）を注入して溶解させ、アスベスト含有吹付け材を容易に剥離・回収する技術を既に発明している（例えば、特許文献３参照）。
【先行技術文献】
【特許文献】
【０００７】
【特許文献１】特開平８−１９９８３２号公報
【特許文献２】特開２００８−２５３８５７号公報
【特許文献３】特開２０１０−１８５１８２号公報
【発明の概要】
【発明が解決しようとする課題】
【０００８】
ところが、アスベスト含有吹付け材を剥離するためには、別途けれんなどの剥離作業が必要であり、薬液（酸性液）を注入しない従来方法に比べて容易になったとはいえ、剥離作業が不要になるものではなく、作業効率の向上に限界があった。
【０００９】
そこで、本発明は、上記事情を鑑みてなされたものであり、アスベスト含有吹付け材を自然落下させることで、作業効率を向上することができるアスベスト含有吹付け材の除去方法を提供するものである。
【課題を解決するための手段】
【００１０】
上記の課題を解決するために、請求項１に記載した発明は、基材の表面に吹き付けられたアスベスト含有吹付け材の除去方法であって、前記アスベスト含有吹付け材の前記基材との接着面付近に酸性液を注入する工程と、該酸性液が注入された前記アスベスト含有吹付け材に対して中性または酸性の液体を散布する工程と、を備えていることを特徴としている。
【００１１】
請求項１に記載した発明によれば、基材とアスベスト含有吹付け材との間（接着面）に酸性液を注入することで、アスベスト含有吹付け材を基材との接触面で酸により分解させて溶解させ、これによりアスベスト含有吹付け材を基材から剥離させることができる。さらに、アスベスト含有吹付け材に対して中性または酸性の液体を散布することにより、アスベスト含有吹付け材に液体が含浸し、アスベスト含有吹付け材の重量を重くすることができる。したがって、自重によりアスベスト含有吹付け材をより確実に自然落下させることができ、アスベスト除去の作業効率を向上することができる。
また、酸性液を注入する作業と、液体を散布する作業といった簡単な作業によりアスベスト含有吹付け材を基材に対してほぼ付着残しのない状態で除去することが可能となる。つまり、従来のような大型の除去装置やマニピュレータを備えた除去ロボットが不要となり、またケレン棒で粗落としを行った後に磨き上げを行うといった手間のかかる作業も不要となる。
【００１２】
請求項２に記載した発明は、前記酸性液は、手持ち可能な注入具を用いて前記アスベスト含有吹付け材に注入することを特徴としている。
【００１３】
請求項２に記載した発明によれば、手持ち式の小型で軽量な注入具を用いてアスベスト含有吹付け材に対して酸性液を注入するという簡単な作業によりアスベスト含有吹付け材を基材に対してほぼ付着残しのない状態で除去することが可能となる。したがって、狭小な作業空間においても、人力によって容易に、かつ、短時間で除去作業を行うことができ、アスベスト除去の作業効率を向上させることができる。しかも、例えば基材がＨ型鋼材やボルトといった複雑な形状物から構成される場合であっても、アスベスト含有吹付け材の付着残しがほとんど無い状態でアスベスト除去を行うことができる。
【発明の効果】
【００１４】
本発明のアスベスト含有吹付け材の除去方法によれば、基材とアスベスト含有吹付け材との間（接着面）に酸性液を注入することで、アスベスト含有吹付け材を基材との接触面で酸により分解させて溶解させ、これによりアスベスト含有吹付け材を基材から剥離させることができる。さらに、アスベスト含有吹付け材に対して中性または酸性の液体を散布することにより、アスベスト含有吹付け材に液体が含浸し、アスベスト含有吹付け材の重量を重くすることができる。したがって、自重によりアスベスト含有吹付け材をより確実に自然落下させることができ、アスベスト除去の作業効率を向上することができる。
【図面の簡単な説明】
【００１５】
【図１】本発明の実施形態におけるアスベスト含有吹付け材の除去方法の概略構成を説明するための図である。
【図２】本発明の実施形態における注射器の拡大図である。
【図３】本発明の実施形態における注射針の先端部を示す図である。
【図４】本発明の実施形態における吹付け材の除去作業状態を示す図（１）である。
【図５】本発明の実施形態における吹付け材の除去作業状態を示す図（２）であり、吹付け材の表面に液体を散布する状態を示す図である。
【発明を実施するための形態】
【００１６】
次に、本発明の実施形態を図面に基づいて説明する。
図１に示すように、本実施形態のアスベスト含有吹付け材の除去方法は、建物などの鉄筋コンクリート造のスラブ１Ａやこのスラブ１Ａを下方より支持するＨ型鋼材１Ｂからなる基材１の表面に被覆されたアスベスト含有吹付け材（以下、単に「吹付け材」という）２を除去する施工に適用されるものである。基材１は、スラブ１Ａの下面１ａがＨ型鋼材１Ｂとともに例えば吹付け厚２５〜６０ｍｍ程度の吹付け材２によって吹付け施工された状態となっている。
【００１７】
なお、アスベストを含有する吹付け材２として、吹付けアスベスト材やアスベスト含有吹付けロックウールなどが挙げられる。そして、吹付け材２の強度は、通常、後述する注射器４の注射針４２を挿入可能な程度の材料強度となっている。
【００１８】
吹付け材２の除去方法は、手持ち可能な注射器４（注入具）を用いて吹付け材２の基材１との間の接着面Ｔ付近に酸性液３を注入し、吹付け材２を酸性液３に反応させて溶解させ、剥離させつつ自然に落下させ、その落下した吹付け材２を取り除く方法となっている。
【００１９】
接着面Ｔ付近に注入される酸性液３として、塩酸などの鉱物酸、酢酸、クエン酸などの有機酸水溶液が挙げられる。この酸性液３は、吹付け材２に反応させて溶解させる作用を有しており、接着面Ｔ付近に注入することで基材１に対して剥離を生じさせて分離させるためのものであり、吹付け材２の材質、その吹付け厚さ寸法、基材１の材質などの条件に応じて例えばＰＨ値を１〜４程度に調整して使用される。
【００２０】
図２に示すように、酸性液３を接着面Ｔに注入するための注射器４は、適量の酸性液３を吸引・収容可能であり、本体４１と注射針４２とを備えた手持ち可能な周知の形態のものを採用している。
【００２１】
図３に示すように、注射器４における注射針４２は、先端部４２ａの針孔が横向きに開口した横孔４２ｂが形成されている。つまり、注射針４２の針孔が横向きに開いているため、吹付け材２に注射針４２を挿入する際、吹付け材２が針孔（横孔４２ｂ）に入り込んで目詰まりを起こし、酸性液３の注入が妨げられるといった不具合を抑制することができる構造となっている。
【００２２】
次に、吹付け材２の具体的な除去方法について説明する。
まず、図４に示すように、除去する吹付け材２の表面２ａに例えばアステクターＳ（登録商標）などの飛散抑制剤５を散布する。
【００２３】
続いて、酸性液３を吸引させた注射器４を使用し、注射針４２の先端部４２ａ（横孔４２ｂ）が所望の注入位置（接着面Ｔ付近）となるように挿入し、酸性液３を注入する。この注射器４による注入は人力により行われる。そして、このときの酸性液３の注入位置は所定の間隔をもって注入されるが、例えば高力ボルト部１ＣやＨ型鋼材１Ｂなどの基材１の形状が複雑となる箇所においては、形状が平坦な箇所に比べて注入箇所を増加し、注入間隔を小さくして集中的に注入することで、その箇所の接着面全体にわたって酸性液３を浸透させ、基材１に対して吹付け材２をより確実に剥離させるように構成してもよい。また、吹付け材２の自然落下を促進するためと、後に散布する液体Ｌの浸透を容易にするために、吹付け材２の表面２ａから適当な間隔で切れ目を入れておいてもよい。
【００２４】
ここで、符号Ｒ１が平坦部（スラブ１Ａと吹付け材２との接着面Ｔ１）における第１注入領域を示し、符号Ｒ２が第１の複雑な形状部（高力ボルト部１Ｃと吹付け材２との接着面Ｔ２）における第２注入領域を示し、符号Ｒ３が第２の複雑な形状部（Ｈ型鋼材１Ｂと吹付け材２との接着面Ｔ３）における第３注入領域を示している。
【００２５】
次に、酸性液３を注入することで、吹付け材２が基材１との接着面Ｔにおいて酸により分解して溶解し、これにより吹付け材２が基材１に対して剥離し、さらに自然に落下することで、吹付け材２の除去作業が完了することになる。
【００２６】
しかしながら、吹付け材２は比較的軽量であるため、吹付け材２が基材１に対して剥離しても完全に自然落下しない虞がある。そこで、本実施形態では、図５に示すように、酸性液３が注入された吹付け材２の表面２ａに対して中性または酸性の液体Ｌを散布するように構成した。例えば、接着力が脆弱化した吹付け材２の表面２ａに対してエアレススプレイヤー７を用いて液体Ｌを散布する。液体Ｌを吹付け材２に散布することにより、吹付け材２は液体Ｌを吸収して重量が重くなる。結果として、吹付け材２は自重により基材１に対してより確実に剥離させることができ、吹付け材２を完全に自然落下させることができる。なお、液体Ｌとしては、濃度０％〜４０％程度の有機酸水溶液であることが望ましい。
【００２７】
また、基材１の表面１ａ（吹付け材２との接触面）は、吹付け材２が溶解により剥離して落下しているため、吹付け材２の残留付着物がほとんど残らない状態となる。なお、落下した吹付け材２は、所望の回収手段により取り除くことができる。さらに、予め吹付け材２の表面２ａに飛散抑制剤５を散布しているため、吹付け材２が剥離落下する際に生じるアスベストの飛散を抑制することができる。
【００２８】
このような除去方法によると、酸性液３の注入作業および液体Ｌの散布作業という簡単な作業により吹付け材２を基材１に対してほぼ付着残しのない状態で除去することが可能となる。つまり、従来のような大型の除去装置やマニピュレータを備えた除去ロボットが不要となり、またケレン棒で粗落しを行った後に磨き上げを行うといった手間のかかる作業も不要となる。そのため、狭小な作業空間においても、人力によって容易に、かつ短時間で除去作業を行うことができる。また、上述したように基材１がＨ型鋼材１Ｂや高力ボルト１Ｃといった複雑な形状物から構成される場合であっても、吹付け材２の付着残しがほとんどない状態で除去を行うことができる。
【００２９】
上述のように本実施形態によるアスベスト含有吹付け材の除去方法では、基材１と吹付け材２との間（接着面Ｔ）に酸性液３を注入することで、吹付け材２を基材１との接触面で酸により分解させて溶解させ、これにより吹付け材２を基材１から剥離させることができる。さらに、吹付け材２に対して中性または酸性の液体Ｌを散布することにより、吹付け材２に液体Ｌが含浸し、吹付け材２の重量を重くすることができる。したがって、自重により吹付け材２をより確実に自然落下させることができ、アスベスト除去の作業効率を向上することができる。なお、液体Ｌは中性または酸性で構成されているため、吹付け材２と酸性液３との化学反応に対して影響を与えることはない。
【００３０】
また、手持ち式の小型で軽量な注射器４を用いて吹付け材２に対して酸性液３を注入するという手間のかからない簡単な作業により吹付け材２を基材１との接触面Ｔで溶解させ、剥離させることが可能であり、基材１が複雑な形状であってもほぼ付着残しがない状態で確実に除去することができ、作業時間の低減を図ることができる。また、大型の除去装置などを用いることがないため、狭小な作業空間であっても除去作業を行うことができる。
【００３１】
尚、本発明は上述した実施形態に限られるものではなく、本発明の趣旨を逸脱しない範囲において、上述した実施形態に種々の変更を加えたものを含む。すなわち、実施形態で挙げた具体的な構造や構成などはほんの一例に過ぎず、適宜変更が可能である。
【００３２】
例えば、本実施形態では、注射器４を使用しているが、これに限定されることはなく、例えば注入用の針孔を有するピストン状の注入具であって、その注入具が酸性液３を収容する容器に繋がるホースの先端部に連結されている構成のものであってもよい。要するに、手持ちが可能な軽量、小型であり、狭小な作業空間であっても容易に持ち運びが可能であり、かつ注入箇所の作業空間での取り扱いが容易とされる注入具であればよいのである。なお、注射器を使用する場合、本実施形態のように針孔の位置が横向きに開口したものだけでなく、通常の針軸方向に孔の開いた注射器であってもかまわない。
【００３３】
また、酸性液３の種類、注入量、注入位置、注入間隔などは、上述したように吹付け材２の性質、その吹付け材２の厚さ寸法、基材の材質などの条件に応じて適宜設定することができる。
【００３４】
同様に、液体Ｌの種類、散布量、散布位置、散布間隔などは、上述したように吹付け材２の性質、その吹付け材２の厚さ寸法などの条件に応じて適宜設定することができる。
【符号の説明】
【００３５】
１…基材  １ａ…（基材の）表面  ２…吹付け材（アスベスト含有吹付け材）  ３…酸性液  ４…注射器（注入具）  Ｌ…液体  Ｔ…接着面
【図１】
2012117262.tif 000003
【図２】
2012117262.tif 000004
【図３】
2012117262.tif 000005
【図４】
2012117262.tif 000006
【図５】
2012117262.tif 000007